(57)【要約】      （修正有）【課題】適合、調節するのが容易な乳幼児用キャリー器具を提供する。【解決手段】乳幼児用キャリー器具は、閉じることができる腰ベルト（１０）と、腰ベルト（１０）に配置された少なくとも２つの肩ストラップと、肩ストラップの間で延在し且つ腰ベルト（１０）につながれた布パネル（１１）とを備え、布パネル（１１）は、乳幼児のための座部（１２）及び背当ての領域を画成し、布パネル（１１）の接続領域（１３）が、開口可能な腰ベルトポケット状部（１４）内に配置される。【選択図】図１
2015150429.tif 000002
【特許請求の範囲】
【請求項１】
乳幼児用キャリー器具であって、閉じることができる腰ベルト（１０）と、前記腰ベルト（１０）に配置された少なくとも２つの肩ストラップと、前記肩ストラップの間で延在し且つ前記腰ベルト（１０）につながれた布パネル（１１）とを備え、前記布パネル（１１）は、乳幼児のための座部（１２）及び背当ての領域を画成するキャリー器具において、
前記布パネル（１１）の接続領域（１３）が、開口可能な腰ベルトポケット状部（１４）内に配置されることを特徴とするキャリー器具。
【請求項２】
前記腰ベルトポケット状部（１４）は、前記腰ベルト（１０）の一部を形成することを特徴とする請求項１に記載のキャリー器具。
【請求項３】
前記腰ベルト（１０）は、前記腰ベルトポケット状部（１４）を通って延在することを特徴とする請求項１または２に記載のキャリー器具。
【請求項４】
前記布パネル（１１）の前記接続領域（１３）は、筒状部分（１５）を含み、前記腰ベルトポケット状部（１４）内に位置する前記腰ベルト（１０）の部分又は前記腰ベルトポケット状部（１４）内に別個に配置されたベルトストラップ（２５）が、前記筒状部分（１５）を通って延在することを特徴とする請求項１〜３のいずれか一項に記載のキャリー器具。
【請求項５】
前記腰ベルト（１１）における前記腰ベルトポケット状部（１４）内に位置する部分又は別個に配置された前記ベルトストラップ（２５）における前記腰ベルトポケット状部（１４）内に位置する部分にある前記布パネル（１１）の幅（Ｂ）は、調節することができることを特徴とする請求項１〜４のいずれか一項に記載のキャリー器具。
【請求項６】
前記布パネル（１１）の前記幅（Ｂ）の調節は、前記腰ベルト（１０）における前記腰ベルトポケット状部（１４）内に位置する部分又は別個に配置された前記ベルトストラップ（２５）における前記腰ベルトポケット状部（１４）内に位置する部分を介して、幅を変えるように前記筒状部分（１５）を押し縮める又は引き伸ばすことによって、行われることを特徴とする請求項５に記載のキャリー器具。
【請求項７】
前記布パネル（１１）の前記接続領域（１３）の２つの外側端部（１６）は、具体的には、段階的に調節を変えて固定するためのスナップファスナ部品要素（１７）又は連続的に調節を変えて固定するためのベルクロ（登録商標）ファスナなどのような固定手段が割り当てられ、前記固定手段は、前記腰ベルト（１０）における前記腰ベルトポケット状部（１４）内に位置する部分又は別個に配置された前記ベルトストラップ（２５）における前記腰ベルトポケット状部（１４）内に位置する部分にある相補的な固定手段（１８）と、前記布パネル（１１）の幅調節のために、相互作用することを特徴とする請求項１〜６のいずれか一項に記載のキャリー器具。
【請求項８】
互いに距離を隔てて配置された少なくとも２つのスナップファスナ部品要素（１８）、具体的には３つのスナップファスナ部品要素（１８）、具体的には４つのスナップファスナ部品要素（１８）、具体的には５つのスナップファスナ部品要素（１８）、特に好ましくは６つのスナップファスナ部品要素（１８）が、前記腰ベルト（１０）における前記腰ベルトポケット状部（１４）内に配置される部分又は別個に配置された前記ベルトストラップ（２５）における前記腰ベルトポケット状部（１４）内に配置される部分での中央（Ｍ）に対する両側に、設けられることを特徴とする請求項１〜７のいずれか一項に記載のキャリー器具。
【請求項９】
少なくとも２つのジップファスナ（２３）が、前記腰ベルトポケット状部（１４）の上側（２２）に設けられることを特徴とする請求項１〜８のいずれか一項に記載のキャリー器具。
【請求項１０】
前記腰ベルトポケット状部（１４）は、クリーム容器、おむつマットなどのようなベビー用品を収容するのに十分な大きいサイズを有することを特徴とする請求項１〜９のいずれか一項に記載のキャリー器具。
【請求項１１】
新生児用インサート（２４）が、前記腰ベルトポケット状部（１４）に固定されることができることを特徴とする請求項１〜１０のいずれか一項に記載のキャリー器具。
【発明の詳細な説明】
【技術分野】
【０００１】
本発明は、乳幼児用キャリー器具に関するものであり、このキャリー器具は、請求項１によると、閉じることができる腰ベルトと、腰ベルトに配置された少なくとも２つの肩ストラップと、肩ストラップの間で延在し且つ腰ベルトにつながれた布パネルとを備え、布パネルは、乳幼児のための座部及び背当ての領域を画成する。
【背景技術】
【０００２】
乳児用のキャリー器具も、さらには幼児用のキャリー器具も、従来技術から既知であり、これらのキャリー器具は、乳児又は幼児の特殊な要件に合わせて作られたものである。すなわち、乳児を運ぶのに適したキャリー器具が存在し、この場合、乳児つまり０歳児という用語は、生後１年以内の小児を指す。よって、乳児用すなわち０歳児用のキャリー器具は、生後１２か月間に使用され、この場合、このような乳児キャリー器具は、生後１年を過ぎると、身体の大きさと体重とに起因して、このような運搬補助器具では小さすぎて、もはや使用できなくなる。生後１年を過ぎると、幼児期と呼ばれ、この幼児期のために、特殊なキャリー器具が構成される。よって、多くの場合、乳児期が終わると、幼児用のキャリー器具を新たに購入することが必要となる。
【０００３】
このような理由で、例えば、乳幼児のために使用できるように、キャリー器具の背当ての長さに関して相対調整を可能としたキャリー器具が、既知である。この目的のためには、通常、種々のベルトストラップに対して調節がなされなければならない。
【発明の概要】
【０００４】
上述から、本発明が基づく目的は、適合するのが特に容易である乳幼児用キャリー器具を提供することである。
【０００５】
上述の目的は、調節するのが特に容易である乳幼児用キャリー器具に関して、請求項１によるキャリー器具によって達成される。
【０００６】
よって、乳幼児用キャリー器具には、閉じることができる腰ベルトと、腰ベルトに配置された少なくとも２つの肩ストラップと、肩ストラップの間で延在し且つ腰ベルトにつながれた布パネルとが、備えられる。布パネルは、乳幼児のための座部及び背当ての領域を画成する。従って、キャリー器具は、少なくとも１つの腰ベルトを備え、この腰ベルトは、乳幼児を運ぶ際に、運ぶ者の腰の周りに装着され閉じられる。さらに、少なくとも２つの肩ストラップが腰ベルトに配置され、これら肩ストラップは、運ぶ者の両肩の領域、胸の領域及び背中の領域に支えるべき重量を最適に分散するために、運ぶ者の両肩の周りに装着される。
【０００７】
両方の肩ベルトは、別のベルトによって、プラグ差し込み式の接続を用いて連結されることができる。この別のベルトは、例えば、胸ベルト又は背ベルトとするができる。このことは、乳幼児を運ぶ者の腹部又は運ぶ者の背中のどちらに乳幼児を載せるかに応じて決まる。腰ベルトに付加的につながれた布パネルが、キャリー器具の肩ストラップ同士の間に延在する。この布パネルは、乳幼児のための少なくとも１つの座部及び背当ての領域を画成する。座部領域とは、乳幼児のアナトミーに適合した、具体的には乳幼児の臀部のアナトミーに適合した布パネルの領域のことである。背当て領域とは、乳幼児の背中と首の首筋の領域とを支持する働きをする布パネルの領域のことである。
【０００８】
本発明によると、布パネルの接続領域は、開口可能な腰ベルトポケット状部内に配置される。それ故、接続領域は、腰ベルトに接続される又は接続可能である領域を画成する布パネルの領域を意味する。
【０００９】
これに応じて、開口可能な腰ベルトポケット状部は、開けることができるように且つ好ましくは閉じることもできるように形成されたポケット型の受容部を意味する。腰ベルトポケット状部は、腰ベルトの一部を形成することができる。さらに、腰ベルトが腰ベルトポケット状部を貫通して延在することも想定できる。腰ベルトポケット状部は、下側では、すなわち、運ばれるべき幼児又は乳児から離れる方に向いた側では、永久的に閉じているように形成されるのが好ましい。つまり、次いで、腰ベルトポケット状部の開口部は、運ばれるべき乳児又は運ばれるべき幼児の方に向いた腰ベルトポケット状部の側部又は縁部に形成される。腰ベルトポケット状部が、例えば腰ベルトの一部を形成する場合には、腰ベルトポケット状部は、腰ベルトに取り付けられることができ、具体的には縫い付けられることができる。腰ベルトが腰ベルトポケット状部を貫通して延在する場合には、例えば、リフトベルトの両側に、付加的な要素を設けること、又は、例えばパッド付き布要素のような要素を腰ベルトの両側に設けることが、想定でき、これらの要素は１つの腰ベルトポケット状部を形成する。
【００１０】
布パネルの接続領域は、筒状部分を有する、又は筒状部分から構成されることが好ましく、この筒状部分を通って、腰ベルトポケット状部内に位置する腰ベルトの部分、又は腰ベルトポケット状部内に別個に配置されたベルトストラップが、延在する。言い換えれば、この材料の接続領域は、少なくとも部分的に筒状であるように形成されており、この場合、その筒状部分を通って、１つのベルトが延在する。このベルトは、腰ベルトポケット状部内に位置する腰ベルトの部分、又は腰ベルトポケット状部内に別個に配置されたベルトストラップとすることができる。
【００１１】
本発明の一実施形態では、腰ベルトポケット状部は、付加的なパッド付き材料から形成されることができ、これにより、運ぶ者が腰領域で乳幼児を支持する場合に、装着の快適さが、相応に向上する。さらに、腰ベルトポケット状部を相応に補強するために、追加のベルトストラップ（複数）が、腰ベルトポケット状部内又は腰ベルトポケット状部上に、組み込まれる又は装着されることが、可能である。
【００１２】
布パネルの幅、好ましくは、腰ベルトポケット状部内に位置する腰ベルトの部分又は別個に配置されたベルトストラップの上における布パネルの接続領域の幅は、調節可能であることが好ましい。言い換えれば、布パネルの接続領域における布パネルの幅は、調節されることができ、この場合、この調節は、腰ベルトポケット状部内に位置する腰ベルトの部分又は別個に配置されたベルトストラップで、実行されることができる。
【００１３】
布パネルの幅の調節は、腰ベルトポケット状部内に位置する腰ベルトの部分又は別個に配置されたベルトストラップを介して、幅を変えるように筒状部分を押し縮めたり引き伸ばしたりすることによって、実施される。言い換えれば、布パネルは、乳児のサイズ又は幼児のサイズに適合することができ、この場合、布パネルの幅は、布パネルを引き伸ばしたり押し縮めたりすることによって調節される。布パネルは、腰ベルトの一部又は別個に配置されたベルトストラップとすることができるベルトストラップの周りに、筒状のかたちで導かれるため、布パネルの接続領域を構成する布パネルの筒状部分は、ベルトを介して、押し縮めたり引き伸ばしたりされることができる。
【００１４】
言い換えれば、この筒状部分は、腰ベルトポケット状部内に位置する腰ベルトの部分に沿って、又は別個に配置されたベルトストラップに沿って、押し縮めたり引き伸ばしたりされることができる。これ故、様々な乳児又は幼児のサイズに対して、布パネルの幅を所望に調節することが、可能である。
【００１５】
布パネルの接続領域の２つの外側端部は、具体的には、段階的に調節を変えて固定するためのスナップファスナ要素又は連続的に調節を変えて固定するためのベルクロ（登録商標）ファスナなどのような固定手段が割り当てられるのが好ましく、これら固定手段は、腰ベルトにおける腰ベルトポケット状部内に位置する部分又は別個に配置されたベルトストラップにおける腰ベルトポケット状部内に位置する部分にある相補的な固定手段と、布パネルの幅の調節のために、相互作用する。布パネルの接続領域の２つの外側端部とは、布パネルの筒状部分の２つの外側端部、すなわち筒状部分の開口近くに位置する領域のことである。接続領域の２つの外側端部、すなわち筒状部分の２つの外側端部は、固定手段を有し、この場合、これら固定手段は、腰ベルトにおける腰ベルトポケット状部内に位置する部分上に位置する又は別個に配置されたベルトストラップ上に位置する固定手段に対して相補的なかたちで、形成される。
【００１６】
布パネルの固定手段は、例えばスナップファスナ凹部のようなスナップファスナ要素を例えば意味することができ、スナップファスナ凹部は、腰ベルトポケット状部に対して布パネルを段階的に調節を変えて固定することを可能とする。さらに、連続的に調節を変えて固定することを可能にする固定手段として、ベルクロ（登録商標）ファスナが用いられることが可能である。よって、スナップファスナ要素又はベルクロ（登録商標）ファスナに相補的である固定手段は、腰ベルトポケット状部内に位置する腰ベルトの部分上又は別個に配置されたベルトストラップ上に位置する。
【００１７】
互いに距離を隔てて配置された少なくとも２つのスナップファスナ要素、具体的には３つのスナップファスナ要素、具体的には４つのスナップファスナ要素、具体的には５つのスナップファスナ要素、特に好ましくは６つのスナップファスナ要素である、例えばスナップファスナヘッドが、腰ベルトにおける腰ベルトポケット状部内に配置される部分又は別個に配置されたベルトストラップにおける腰ベルトポケット状部内に配置される部分での中央に対する両側に設けられることが、想定できる。相補する数量のスナップファスナ要素を有する背当てパネルは、各側部に少なくとも６つのスナップファスナ要素を配置又は形成することによって、すなわち、合計で１２のスナップファスナ要素を形成することによって、６段階の調節を受けることができる。言い換えれば、布パネルと併せて、６つの異なる幅への調節が可能である。また、本発明は、次のような実施形態も含む。つまり、この実施形態は、布パネル上のスナップファスナヘッドと、腰ベルトポケット状部上の対応するスナップファスナ凹部とを含み、具体的には、スナップファスナ凹部は、腰ベルトポケット状部の中に位置する腰ベルト及び／又は別個のベルト上にある。
【００１８】
布パネルの調節すなわち幅調節は、腰ベルトポケット状部の内側又は内部で対応する固定を行うことによって、実施される。腰ベルトポケット状部は、閉じることができるように形成されるのが好ましい。腰ベルトポケット状部を閉じることは、例えば、ベルクロ（登録商標）を用いて、及び／又はスナップファスナを用いて、及び／又はかぎホック式の接続を用いて、及び／又はジップファスナを用いて、実施されることができる。
【００１９】
本発明の好ましい一実施形態では、少なくとも２つのジップファスナが、腰ベルトポケット状部の上側に設けられる。腰ベルトポケット状部の上側とは、腰ベルトポケット状部における開口部を有する側、すなわち、腰ベルトポケット状部における乳児若しくは幼児の臀部の方に向いた側又は乳児若しくは幼児の方向を指す側のことである。２つのジップファスナは、腰ベルトポケット状部の上側の２つの外側端部に形成されることが好ましい。腰ベルトポケット状部に対して、布パネルの領域にも布パネルの接続領域にも、ジップファスナが配置されず、それにより、例えば、ジップファスナで擦れることにより生じる布パネルの擦り切れが避けられるようにすることが、できる。
【００２０】
腰ベルトポケット状部が、クリーム容器、おむつマットなどのようなベビー用品を収容するのに十分な大きさを有することは、理論的に想定できる。言い換えれば、そのようなサイズを有する腰ベルトポケット状部は、ベビー用品を追加で収容するという目的を果たす。
【００２１】
さらに、新生児用インサートが、腰ベルトポケット状部に固定されることができるということが、可能である。新生児用インサートは、新生児の身体を支持する又は新生児の身体に対して追加の支持を与える働きをする。生後４週間以内の０歳児は、一般に、新生児と呼ばれる。新生児用インサートは、新生児のサイズ及び体重に対応して適合し、それにより、乳児も、具体的には新生児も、幼児も、本発明によるキャリー器具を用いて運ばれることができ、それは、布パネルの幅調節が、開口可能な腰ベルトポケット状部内で可能であり、且つ新生児用インサートが、腰ベルトに固定もできるためである。キャリー器具で乳児を運ぶために新生児用インサートが（もはや）必要ではない場合には、新生児用インサートは、腰ベルトポケット状部内に、具体的には転がすように巻かれて、格納されることができる。
【００２２】
本発明のさらなる実施形態は、従属請求項から明らかになるであろう。
【００２３】
本発明は、図面に基づき説明される例示的な実施形態に基づいて、以下で説明されることになる。
【図面の簡単な説明】
【００２４】
【図１】開放した腰ベルトポケット状部を伴った本発明による乳幼児用キャリー器具の一実施形態を示す図である。
【図２ａ】腰ベルトポケット状部の種々の実施形態のうちの１つ概略図である。
【図２ｂ】腰ベルトポケット状部の種々の実施形態のうちの１つ概略図である。
【図３】ベルトストラップの周りの布パネルの接続領域の配置構成を図で説明するように示された概略断面図である。
【発明を実施するための形態】
【００２５】
以下の説明において、同一の部分及び同一の作用を有する部分に対して、同じ参照符号が用いられる。
【００２６】
図１は、閉じることができる腰ベルト１０を備えた本発明による乳幼児用キャリー器具を示している。腰ベルト１０のうち、２つの個別のセグメントが概略的に示されており、これらセグメントは、図示していない締め具を介して、相互に接続されること、すなわち閉じられることができ、これにより、閉じることができる腰ベルト１０が形成される。本発明によるキャリー器具は、腰ベルト１０上に配置された少なくとも２つの肩ストラップ（図示せず）をさらに有している。これら肩ストラップの間では、腰ベルト１０につながれた布パネル１１が延在する。
【００２７】
布パネルは、運ばれるべき乳児又は幼児のための座部及び背当ての領域を画成し、図１には、座部領域１２のみが示されている。座部領域１２は、乳児又は幼児の臀部の領域に形状が形成されるようなかたちで形成されるのが好ましく、例えば、外向きの膨らみが形成され且つ乳児の臀部が幼児の膝よりも低くなるように上記形状が形成される。このような膨らみは、新生児を運ぶ場合に、特に有益である。
【００２８】
布パネルは、接続領域１３をさらに有し、この場合、布パネルのこの接続領域１３は、本発明に従って、開口可能な腰ベルトポケット状部１４内に配置される。
【００２９】
腰ベルトポケット状部１４は、腰ベルト１０の一部を形成することができる。さらに、腰ベルト１０が、腰ベルトポケット状部１４を貫通して延在することが可能である。腰ベルトポケット状部の様々な実施形態に関しては、図２ａ及び図２ｂを参照する。
【００３０】
筒状部分１５が、布パネル１１の接続領域１３に含まれている。図示の例では、この筒状部分１５を通って、腰ベルトポケット状部１４内に位置する腰ベルト１０の一部が延在し、又は、例えば、腰ベルトポケット状部１４内に別個に配置されたベルトストラップが、その代わりに延在する。
【００３１】
布パネル１１の幅Ｂは、腰ベルト１０における腰ベルトポケット状部１４内に位置する部分又は別個に配置されたベルトストラップにおける腰ベルトポケット状部１４内に位置する部分で、調節されることができる。布パネル１１の幅Ｂの調節は、腰ベルト１０における腰ベルトポケット状部１４内に位置する部分を介して、又は、図１に示されない別個に配置されたベルトストラップにおける腰ベルトポケット状部１４内に位置する部分を介してでも、幅を変化させるように筒状部分１５を押し縮めたり引き伸ばしたりすることによって、行われる。布パネル１１の接続領域１３の２つの外側端部１６（これら外側端部１６は、布パネル１１の筒状部分１５の両方の外側端部１６でもある）は、固定手段が割り当てられており、これら固定手段は、本ケースでは段階的に調節を変えて固定するためのスナップファスナ凹部１７である。このとき、外側端部１６に位置する固定手段すなわちスナップファスナ凹部は、相補的な固定手段すなわちスナップファスナヘッド１８と相互作用する。これらスナップファスナヘッド１８は、布パネル１１の幅Ｂの調節を目的として、腰ベルト１０における腰ベルトポケット状部１４内に位置する部分の上に配置されている。
【００３２】
少なくとも２つのスナップファスナ部品要素又はスナップファスナ固定手段（なお、本ケースでは、６つのスナップファスナ部品要素又はスナップファスナ固定手段）、すなわち、互いに対して距離ａを隔てて配置されたスナップファスナヘッド１８が、腰ベルト１０における腰ベルトポケット状部１４内に配置された部分での中央Ｍに対する両側に、又は図示しない別個に配置されたベルトストラップにおける腰ベルトポケット状部１４内に配置された部分での中央Ｍに対する両側に、設けられる。スナップファスナヘッド１８の相互の距離ａは、いずれの場合も布パネル１１の接続領域１３の外側端部１６上に配置されているスナップファスナ凹部１７同士の距離ｃに相当する。これに従って、例示的な本実施形態では、２つのスナップファスナ要素又は２つのスナップファスナ固定手段、すなわち２つのスナップファスナ凹部１７が、各外側端部１６上に形成され、これにより、接続領域１３の外側端部に作用する力は、均等に分散されることができ、さらには、互いに隣り合って配置される２つのスナップファスナ凹部１７に関連した二重の留め付け手段が、存在することになる。
【００３３】
腰ベルトポケット状部１４内に位置する腰ベルト１０の部分を介して幅を変えるように筒状部分１５を押し縮めたり引き伸ばしたりすることによって布パネル１１の幅Ｂを調節した後、所望の布パネル幅Ｂに達したら、開口した腰ベルトポケット状部１４内にある布パネル１１の接続領域１３の固定が、スナップファスナの固定によって実施されることができる。
【００３４】
布パネルの接続領域を連続的に調節を変えて固定するために、接続領域の２つの外側端部１６は、例えば、ベルクロ（登録商標）ファスナを有することができ、ベルクロ（登録商標）ファスナは、腰ベルトポケット状部内の腰ベルト上又は腰ベルトポケット状部内の別個に配置されたベルトストラップ上に位置する相補的な固定手段、すなわち不織布材と、相互作用する。
【００３５】
本ケースでは、腰ベルトポケット状部１４は、開口部１９を形成し且つパッド付きである折り畳まれる布開放部２０によって形成されている。パッド付き材料要素２０は、腰ベルトの領域で、追加の当て物を確保し、対応する装着の快適さを、運ぶ者の場合に確保する。パッド付き布要素２０の両外側端部２１において、折り畳まれた布要素の複数の層が、相互に固定され、具体的には相互に縫い付けられる。腰ベルト１０も同様に、具体的には縫い付けられることで、腰ベルトポケット状部１４内に固定されることができる。
【００３６】
腰ベルトポケット状部１４は、閉じることができるように形成されることが好ましい。この目的のために、少なくとも２つのジップファスナ２３が、腰ベルトポケット状部１４の上側２２に設けられる。これらジップファスナ２３は、パッド付き布要素２０の両外側端部２１から布パネル１１に至るまで延在するのが好ましい。腰ベルト１０の中央Ｍ又は布パネル１１の幅Ｂについては、布パネル１１の損傷につながり得るので、ジップファスナで閉じられないことが好ましい。
【００３７】
腰ベルトポケット状部１４は、クリーム容器、おむつマットなどのようなベビー用品を腰ベルトポケット状部内に格納することができるように、十分に大きなサイズを有することが好ましい。
【００３８】
さらに、腰ベルトポケット状部１４内に、新生児用インサート２４を固定されることができる。新生児用インサート２４は、小さな新生児の身体に対して追加の支持を与える目的を果たすものであり、それにより、使用しない場合、すなわち乳児が不使用に対応する大きさである場合は、新生児用インサート２４は、腰ベルトポケット状部１４内で巻かれて格納されることができる。新生児用インサート２４を用いて新生児の十分な保持を確保するためには、新生児用インサート２４は、少なくともパッド付き布要素２０に固定され、好ましくは、補強されたベルトストラップに固定される。上記固定は、ベルクロ（登録商標）ファスナ、又はスナップファスナ、又はかぎホック式の固定要素の補助を伴って、実施されることができる。
【００３９】
図２ａ及び図２ｂに、腰ベルトポケット状部及び腰ベルトに関する様々な可能性のある実施形態が示されている。
【００４０】
図２ａでは、２つの腰ベルト部分１０ａ及び１０ｂ、すなわち、左側腰ベルト部分１０ａ及び右側腰ベルト部分１０ｂが、示されている。腰ベルトポケット状部１４は、左側腰ベルト部分１０ａと右側腰ベルト部分１０ｂとに接続されている。腰ベルトポケット状部１４は、腰ベルト部分１０ａ及び１０ｂに縫い付けられる及び／又は接着されることが好ましい。図示の腰ベルトポケット状部１４内には、別個のベルトストラップ２５が配置されている。別個に配置されたベルトストラップ２５は、腰ベルトポケット状部１４に縫い付けられる及び／又は接着されることができる。
【００４１】
図２ｂでは、腰ベルトポケット状部１４は、腰ベルト１０の一部として形成されており、この場合、腰ベルト１０は、腰ベルトポケット状部１４を貫通して延在する。
【００４２】
少なくとも一部で腰ベルト１０が、そしてそれに加えて少なくとも１つのさらなる別個に配置されたベルトストラップ２５が、腰ベルトポケット状部１４内に位置するということは、理論的に想定できる。
【００４３】
図３は、概略断面図によって、布パネル１１の筒状部分１５を示している。この場合、筒状部分１５を形成するために、布パネル１１の接続領域１３が、腰ベルト１０の周りに導かれるつまり腰ベルト１０の周りに巻き付けられ、それにより、周りに巻き付けた布パネル１１に布パネル１１の端部分２６を接続する又は固定する場合、腰ベルトポケット状部１４内に位置する腰ベルト１０の部分が貫通して延在する筒状部分１５が、形成される。さらに、次のことも明らかである。つまり、スナップファスナヘッド１８が、布パネル１１上に配置されると共に、スナップファスナヘッド１８と相補的なかたちで形成されるスナップファスナ凹部１７が、腰ベルト１０上に配置又は形成されるということである。
【００４４】
ここで、指摘しておくべきことは、図１〜図３による実施形態との関連で上述した要素のすべては、それ単独ででも、又は、いかなる組み合わせででも、特に図面に示す詳細ででも、本発明に関連するものとして権利請求されるということである。このことに関する変形については、当業者にとって珍しくないことである。
【符号の説明】
【００４５】
１０  腰ベルト
１０ａ，１０ｂ  腰ベルト部分
１１  布パネル
１２  座部領域
１３  布パネルの接続領域
１４  腰ベルトポケット状部
１５  筒状部分
１６  接続領域の外側端部
１７  スナップファスナ凹部
１８  スナップファスナヘッド
１９  腰ベルトポケット状部の開口部
２０  パッド付き布要素
２１  パッド付き布要素の外側端部
２２  腰ベルトポケット状部の上側
２３  ジップファスナ
２４  新生児用インサート
２５  別個のベルトストラップ
２６  布パネルの端部分
Ｂ  布パネルの幅
Ｍ  腰ベルトの中央
ａ  スナップファスナヘッド同士の距離
ｃ  スナップファスナ凹部同士の距離
【図１】
2015150429.tif 000003
【図２ａ】
2015150429.tif 000004
【図２ｂ】
2015150429.tif 000005
【図３】
2015150429.tif 000006
【外国語明細書】
2015150429.tif 000007
2015150429.tif 000008
2015150429.tif 000009
2015150429.tif 000010
2015150429.tif 000011
2015150429.tif 000012
2015150429.tif 000013
2015150429.tif 000014
2015150429.tif 000015
2015150429.tif 000016
2015150429.tif 000017
2015150429.tif 000018
2015150429.tif 000019
2015150429.tif 000020
2015150429.tif 000021
2015150429.tif 000022
2015150429.tif 000023